(57)【要約】    【課題】  本発明では、被吊り下げ体を安定した状態で吊り下げ可能であるとともに、吊り下げ紐の長さを容易に調節することができ、しかも長さ調節後は、被吊り下げ体を携行し易い状態とすることができる吊り下げ紐の長さ調節構造の提供を目的とする。  【解決手段】  被吊り下げ体２０の両側部に形成したベルト１２を取り付け可能な取付け部２１に、上記ベルト１２を取り付けて構成する吊り下げ紐１１の長さ調節構造であって、上記取付け部２１をベルト１２が挿通可能に形成し、上記ベルト１２の両側をそれぞれ上記取付け部２１に挿通した後折り返し、上記ベルト１２上をその長さ方向に任意位置まで移動して位置決め可能な留め具１３、１３で留めるとともに、これら留め具１３、１３間に、上記ベルト１２上をその長さ方向に移動可能に取り付けた保持部材１６を設け、上記保持部材１６に、上記留め具１３、１３を移動して上記ベルト１２の上記留め具間の長さを所望の長さに設定したときに、残余する上記ベルト１２の余端部分１４分を収納可能な収納部１４を形成した吊り下げ紐１１の長さ調節構造。  【選択図】    図５
2005110827.tif 000002
【特許請求の範囲】
【請求項１】
被吊り下げ体の両側部に形成したベルトを取り付け可能な取付け部に、上記ベルトを取り付けて構成する吊り下げ紐の長さ調節構造であって、
上記取付け部をベルトが挿通可能に形成し、
上記ベルトの両側をそれぞれ上記取付け部に挿通した後折り返し、上記ベルト上をその長さ方向に任意位置まで移動して位置決め可能な留め具で留めるとともに、
これら留め具間に、上記ベルト上をその長さ方向に移動可能に取り付けた保持部材を設け、
上記保持部材に、上記留め具を移動して上記ベルトの上記留め具間の長さを所望の長さに設定したときに、残余する上記ベルトの余端部分を収納可能な収納部を形成した
吊り下げ紐の長さ調節構造。
【請求項２】
被吊り下げ体の両側部に形成したベルトを取り付け可能な取付け部に、上記ベルトを取り付けて構成する吊り下げ紐の長さ調節構造であって、
上記ベルトの一端側を上記取付け部の一方に取り付けるとともに、上記ベルトの他端側を取り付ける上記取付け部の他方を、上記ベルトを挿通可能に形成し、
上記他方の取付け部に挿通したベルトの他端側を折り返し、上記ベルト上をその長さ方向に移動して任意位置で位置決め可能な留め具で留めるとともに、
上記ベルト上をその長さ方向に移動可能に取り付けた保持部材を設け、
上記留め具と上記一方の取付け部との間に、上記留め具を移動して上記留め具と一方の取付け部との間の長さを、所望の長さに設定したときに、残余する上記ベルトの余端部分を収納可能な収納部を形成した
吊り下げ紐の長さ調節構造。
【請求項３】
前記保持部材を柔軟なシート状に形成し、該保持部材が３つ折り状に折り曲げ可能となる折り曲げ部を形成した
請求項１、又は２に記載の吊り下げ紐の長さ調節構造。
【請求項４】
前記保持部材を折り畳んだ状態に保持すべく相対して係合し合う一対の面ファスナを、上記保持部材における折り畳んだとき重合する部位に取り付けた
請求項１、２又は３に記載の吊り下げ紐の長さ調節構造。
【請求項５】
前記被吊り下げ体をランチジャー、又は、携帯用液体容器とする
請求項１から４のいずれか１に記載の吊り下げ紐の長さ調節構造。
【発明の詳細な説明】
【技術分野】
【０００１】
この発明は、携行品に取り付ける吊り下げ紐の長さ調節構造に関する。
【背景技術】
【０００２】
鞄、カメラ、ランチジャー等の携行品に取り付けられている吊り下げ紐には、様々な長さ調節構造を提案されている。
【０００３】
例えば、先行技術１（特許文献１参照）における長さ調節可能なストラップの構成は、被携行品に形成する吊環と呼ばれる部材の挿込口にストラップを挿し込んだ後、該ストラップの端部がそれぞれ対向させた状態で折り返し環と呼ばれる同一の部材に、一方の端部のみ調節可能に両端部を取り付けるとともに、該端部が対向する部位に肩当て部を固着して形成する。上記ストラップの長さを短く調節する場合は、上記折り返し環に取り付けた一方の端部側を引張れば、吊り下げとして使用するストラップの長さを短くすることができる。
【０００４】
上記長さ調節が可能なストラップは、上記吊環を介して１点で被携行品を支持する構造で構成されている。そのため、長さ調節後にストラップに肩当てカバーを固着していてもストラップごと吊環の挿込口をスライドさせることで肩当てカバーの位置を肩が当たる位置まで移動させることができる。しかし、このような１点支持の構成を採る場合、使用の際に被携行品の安定性を確保するのが難しいという問題点を有する。  
すなわち、仮にストラップを例えば、肩当てカバーを固着したストラップの両側を被携行品の両側に取り付けて、被携行品を２点で支持する構成とした場合、肩当てカバーは、ストラップに固着しているため、該肩当てカバーは、ストラップが吊環に対して移動不可能となるため、所望の位置まで戻すことができない。
【０００５】
また、他の先行技術として先行技術２（特許文献２参照）のベルト長さ調節構造では、ベルトの長さ方向の所定部位に、折り畳んだベルトを収納可能な肩当てを固着し、ベルトの長さ方向における該肩当ての両側に係止リングと、該係止リングが係合される係止フックとをそれぞれベルトを短くしたい長さだけ隔てた位置に形成している。
【０００６】
上記構成により、利用者がベルトの長さを短くする場合は、係止リンクを係止フックに係合するとともに、該係止リンクと係止フックとの間のベルトを折り畳んで肩当てに収納して行う。
【０００７】
しかし、上記先行技術２のベルト長さ調節構造の場合、上述したごとくベルトの長さを２階的でしか調節することができず、使用用途に応じた最適な長さに調節することができないという問題点を有する。仮に、ベルトの長さ方向に係止フックを調節したい数だけ形成すれば、段階的に調節することも可能であるが、その分構造が複雑になり、コストも高くなるという問題点を有する。
【０００８】
【特許文献１】実公昭６４−００３３７９号公報
【特許文献２】実公平０１−１７７９１０号公報
【発明の開示】
【発明が解決しようとする課題】
【０００９】
そこで本発明では、被吊り下げ体を安定した状態で吊り下げ可能であるとともに、吊り下げ紐の長さを容易に調節することができ、しかも長さ調節後は、被吊り下げ体を携行し易い状態とすることができる吊り下げ紐の長さ調節構造の提供を目的とする。
【課題を解決するための手段】
【００１０】
被吊り下げ体の両側部に形成したベルトを取り付け可能な取付け部に、上記ベルトを取り付けて構成する吊り下げ紐の長さ調節構造であって、上記取付け部をベルトが挿通可能に形成し、上記ベルトの両側をそれぞれ上記取付け部に挿通した後折り返し、上記ベルト上をその長さ方向に任意位置まで移動して位置決め可能な留め具で留めるとともに、これら留め具間に、上記ベルト上をその長さ方向に移動可能に取り付けた保持部材を設け、上記保持部材に、上記留め具を移動して上記ベルトの上記留め具間の長さを所望の長さに設定したときに、残余する上記ベルトの余端部分を収納可能な収納部を形成した吊り下げ紐の長さ調節構造であることを特徴とする。
【００１１】
上記留め具は、例えばバックル、コキ、アジャスタ等の摩擦力を利用して状態を保持する構成とすれば、ベルトの長さ方向のいずれの部位であっても、上記摩擦力を利用して連続的に位置決めすることができるため好ましい。その他、スナップ、ナスカン等の段階的に位置決め可能な部材を用いることも含む。
【００１２】
上記保持部材は、面状の部材、袋状の部材、合成樹脂製の箱体など人が保持可能に形成するとともに、ベルトにおける上記余端部分が収納可能な上記収納部を備えて形成しているものであればよい。
【００１３】
特に、前記保持部材を面状体に形成した場合において、該保持部材が３つ折り状に折畳み可能とする折り曲げ部を形成すると、折り畳んだときの見栄えを確保してベルトの余端部分を収納することができる。
【００１４】
また、上記保持部材を折り畳んだ状態に保持する、相対して係合し合う一対の面ファスナを、上記保持部材における折り畳んだとき重合する部位に取り付けるとよい。上記面ファスナを採用すれば、正確に位置決めして重合させなくても互いに係合できるため、上記収納部に収納する上記余端部分の長さに応じて保持部材を折り畳んだときに重合する部位が変動しても強固に、且つ容易に係合して収納状態を維持することができる。また、面ファスナ自体が柔軟なシート状であるため、保持部材を把持したときの感触を柔らかい状態とすることができる。
【００１５】
また、上記ベルトの一端側を上記取付け部の一方に取り付けるとともに、上記ベルトの他端側を取り付ける上記取付け部の他方を、上記ベルトを挿通可能に形成し、上記他方の取付け部に挿通したベルトの他端側を折り返し、上記ベルト上をその長さ方向に移動して任意位置で位置決め可能な留め具で留めるとともに、上記ベルト上をその長さ方向に移動可能に取り付けた保持部材を設け、上記留め具と上記一方の取付け部との間に、上記留め具を移動して上記留め具と一方の取付け部との間の長さを、所望の長さに設定したときに、残余する上記ベルトの余端部分を収納可能な収納部を形成した吊り下げ紐の長さ調節構造を採用してもよい。
【００１６】
上記構成を採れば、ベルトの長さを調節する上記留め具は、ベルトの一方の側のみに設けているので長さ調節の操作が簡単である。また、ベルトの他端側を被吊り下げ体に直接一体的に取り付ければ被吊り下げ体が不測に脱落してしまうことを防止することができる。
【発明の効果】
【００１７】
この発明によれば、留め具をベルト上の長さ方向の任意の位置まで移動させて位置決めすることにより、被吊り下げ体を安定した状態で吊り下げ可能であるとともに、吊り下げ紐の長さを容易に設定することができる。
【００１８】
さらに、長さ調節の後においても、保持部材を吊り下げ紐の長さ方向の中間部まで移動することができるため、利用者は、吊り下げ紐が如何なる長さであっても該吊り下げ紐を保持し易い状態とすることができる。
【００１９】
また、吊り下げ紐の長さを短くした場合には、余端部分が長くなるが、該余端部分を保持部材に収納することで邪魔にならない。また、余端部分を保持部材の収納部に折り畳んで収納すれば、該折り畳んだ余端部分は、利用者が保持部材を把持したとき、利用者に弾力感を与えるための部材として機能させることができる。よって、利用者は、快適に保持部材を把持することができる。
【００２０】
特に、上記吊り下げ紐の長さ調節構造は、ランチジャー、あるいは水筒などの携帯用液体容器の吊り下げ紐として好適である。なぜなら、これらランチジャー等の被吊り下げ体は、中身が詰まっている場合と、中身が空の場合とで質量が大きく異なり、また、会社の昼食で使用するために通勤で持ち運ぶことや、あるいはアウトドアで用いる等、持ち運ぶ環境が大きく異なるが、被吊り下げ体は、肩にかける状態や、手提げ状態への変更が容易であり、如何なる状態であっても最適な状態で使用することができるためである。
【発明を実施するための最良の形態】
【００２１】
この発明の一実施形態を、以下図面を用いて説明する。  
図１は、ランチジャー２０に取り付けた吊り下げ紐１１の長さを長く設定した状態を示す。図１に示すごとく、上記吊り下げ紐１１で吊り下げるための取付け部２１は、ランチジャー２０の外周部における中央部を隔てた所定の両側に形成している。取付け部２１は、平面視Ｕ字形をして（図示せず）、該Ｕ字形をした両端部をランチジャー２０に一体に形成している。
【００２２】
一方、上記取付け部２１に取り付いている吊り下げ紐１１は、細いの帯状（例えば１０ｍｍから３０ｍｍなど手のひらに握れる程度の幅）の織成されたベルト１２で構成され、該ベルト１２の全長は、一例として概ね１３０ｃｍ程度の人体の肩にかけて保持できるようにする長さである。  
なお、本発明におけるベルト１２の長さ、幅は、上記例のものに限定されるものではない。すなわち、ベルト１２素材としては、例えば、編紐、革紐、プラスチック製の鎖、あるいはこのような鎖の外周部を合成樹脂部材で包囲したものであってもよい。
【００２３】
また、上記吊り下げ紐１１は、上記ベルト１２の両側にコキ１３と称する部材をそれぞれ接続して構成している。ここで、上記コキ１３は金属製又はプラスチック製であり、該コキ１３の構成は、図２（ａ）、（ｂ）、（ｃ）に示すごとく、平面視矩形をした枠体１３ａを構成し、該枠体１３ａにおける所定方向の中間部１３ｂが上方へ少し湾曲した形状に形成している。
【００２４】
さらに、上記枠体１３ａにおける所定方向の中間部１３ｂには、中桟１３ｃを架設して構成している。すなわち、上記コキ１３は、上記中桟１３ｃを隔てた両側に２つのベルト挿通口１３ｄ、１３ｄが存在する構成となる。
【００２５】
具体的には、上記コキ１３を上記ベルト１２に対して以下のように接続している。  
まず、ベルト１２の両端部のそれぞれをコキ１３における一方のベルト挿通口１３ｄに、中間部１３ｂが上方へ湾曲している方と反対側から挿通した後、中桟１３ｃを隔てた他方のベルト挿通口１３ｄに対して逆方向から挿通することにより、中桟１３ｂとその両側の枠部材にベルト１２を当接させることができる。
【００２６】
さらに、ベルト１２の両端部をそれぞれ上記取付け部２１の挿込み孔２１ａに挿し込んだ後、挿込み孔２１ａの縁部２１ｂ沿いに折り返し、折り返した各端部を再度コキ１３における中桟１３ｂと上記挿通したベルト１２との間に入り込む側から上記他方のベルト挿通口１３ｄに挿通した後、上記一方のベルト挿通口１３ｄへ逆側から挿通させる。以上のように挿通させてコキ１３から抜き出したベルト１３は、吊り下げ紐１１の外側にフラップ状に残余する余端部分１４を構成する。
【００２７】
以上により、吊り下げ紐１１の両側は、それぞれベルト１２が重合した状態でコキ１３に接続されているとともに、さらに両端部側には、それぞれ環状部１５を形成した状態で取付け部２１に取り付いている。
【００２８】
上記コキ１３は、利用者がベルト１２の幅方向に位置する両側の枠体１３ａを把持して、ベルト１２の長さ方向に力を付与させて、ベルト１２上を移動させることで容易に位置決めすることができる。なお、環状部１５の長さは、目安として該環状部１５におけるベルト１２を重合させて環状部１５内の空間をなくした状態において５０ｍｍ程度であり、上記余端部分１４は、４０ｍｍから６０ｍｍ程度である。以上のような状態を維持するように環状部１５の端部におけるベルト１２の重合部位にコキ１３を位置決めして吊り下げ紐１１の長さを長い設定としている。
【００２９】
また、上記吊り下げ紐１１には、該吊り下げ紐１１のコキ１３の間で長さ方向に移動可能な保持部材１６が取り付けられている。  
図３（ａ）、（ｂ）、（ｃ）に示すごとく、上記保持部材１６は、人が把持し易いように概ね大人の手の握り拳の幅方向の長さに対応する大きさを備えた正方形をした２枚の面状の合成樹脂の外周部を逢着して一体に形成している。さらに、上記保持部材１６は、ベルト１２に取り付けたとき、該ベルト１２の幅方向を３等分配すべく、折り曲げ部１６ａ、１６ａを付している。
【００３０】
さらに、上記保持部材１６は、上記３等分配した一方の端部側における上面（図３（ａ）参照）に一方の面ファスナ１７ａを添着し、他方の端部側における下面（図３（ｃ）参照）に他方の面ファスナ１７ｂを添着している。
【００３１】
そして、上記保持部材１６の上面における上記３等分配した中間部１３ｂであって、折り曲げ部１６ａ、１６ａを形成した方向の両側に、上記中間部１３ｂの幅方向を備えた帯状の取付け帯１８を逢着している。具体的には、上記取付け帯１８の中央部には、ベルト１２が挿し込み可能な幅を備えた挿通孔２１を構成していが、図４（ａ）に示すごとく、ベルト１２が挿通孔２１に差し込まれた状態で取付け帯１８の長手方向の両側を保持部材１６に逢着している。  
上記構成により、保持部材１６は、ベルト１２上を上記コキ１３の間において移動することができる。
【００３２】
以上が吊り下げ紐１１および、該吊り下げ紐１１に吊り下げるランチジャー２０の取り付け部の構成である。以下では、上記吊り下げ紐１１の長さを短い状態に変更する手順について説明する。
【００３３】
まず、利用者は、吊り下げ紐１１両端部における環状部１５におけるベルト１２をそれぞれ挿込み孔２１ａに挿し込んでコキ１３を取付け部２１近傍に位置させるとともに、環状部１５におけるベルト１２を余端部分１４側（取付け部２１よりも下側）に位置させる。その状態で利用者は、一方の手でコキ１３を把持して該コキ１３を取付け部２１の近傍に位置させた状態のまま固定しておき、他方の手で余端部分１４を引張る。これにより、環状部１５が収束するとともに、余端部分１４が長くなる。
【００３４】
さらに、利用者は、一方の手でランチジャー２０が動かないように把持しておき、他方の手でコキ１３を取付け部２１近傍から離間する方向に引張り、ベルト１２上を移動させる。これにより、改めて環状部１５を形成することができる。
そして、上記改めて形成した環状部１５を構成するベルト１２も挿込み孔２１ａに挿し込んでコキ１３を取付け部２１近傍に位置させて上述と同様にの手順を行う。このように上述した手順を２、３回繰り返せば、余端部分１４が長くなり、その分、吊り下げ紐１１の長さを短くする（約１５ｃｍ程度）ことができる。
【００３５】
さらに、図５に示すごとく、上述した吊り下げ紐１１の長さを変更する際に、保持部材１６は、吊り下げ紐１１の長さ方向の中間部から偏移した状態となるが、利用者が把持し易い吊り下げ紐１１の上記中間部まで移動させることができる。
【００３６】
しかし、吊り下げ紐１１の長さを短くて、保持部材１６を上記中間部に位置させても、残余した状態の余端部分１４が必要以上に長い状態のため、利用者は、吊り下げ紐１１を使用する際において該余端部分１４が邪魔になる。  
このため、図４（ｂ）に示すごとく、利用者は、余端部分１４を上記保持部材１６の長さ方向と略同じ長さごとに折り畳んで積載するとともに、該折り畳んだ余端部分１４を保持部材１６における中間部の取付け帯１８を逢着した側の面に臨ませる。  
その後、図４（ｃ）に示すごとく、利用者は、保持部材１６を３つ折りするとともに、３つ折りしたときに保持部材１６が重合する部位に添着した面ファスナ１７ａ、１７ｂどうしを係合すれば、上記余端部分１４を収納することができる。
【００３７】
このような構成を採れば、吊り下げ紐１１は、使用において不要な余端部分１４を保持部材１６に見栄えよく収納できる。しかも、上記保持部材１６に積載した状態で収納した余端部分１４によって、利用者は、該保持部材１６を把持したとき、適度な弾力感を得ることができるため、ランチジャー２０の内部に食品が詰まっていて重たくても快適に把持することができる。
【００３８】
その他、吊り下げ紐１１は、水筒、あるいは、通常円筒状をして下部に注ぎ口の備えたキーパーなどの携帯用液体容器に適している。
【００３９】
次に、他の吊り下げ紐１１の構造として、図６に示すごとく本実施例の吊り下げ紐１１は、上記吊り下げ紐１１の一方の端部を前述した実施形態と同様にランチジャー２０の挿込み孔２１ａに差し込んだ後、該挿込み孔２１ａの縁部２１ｂで折り返し、コキ１３を用いてベルトの重合部を留めることによって取付け部２１に取り付けている。そして、上記吊り下げ紐１１の他方の端部側は、コキ１３を用いる代わりに、重合する部位には一対のスナップ３０を用いてランチジャー２０に接続している。  
なお、その他保持部材１６等の構成は前述した実施例と同様の構成である。
【００４０】
このため、前述した実施例における吊り下げ紐１１は、いずれの端部側でもコキ１３を備えているため、長さ調節が可能であったが、本実施例の場合、コキ１３を接続した片側においてのみ長さを調節することができる。  
すなわち、本実施例の吊り下げ紐１１は、このように構造を簡単にすることで、不用意に余端部分１４がコキ１３から離間してしまうこともないためランチジャー２０が不足に脱落することを防ぐことができる。
【００４１】
また、上記吊り下げ紐１１における他の保持部材１６の構成として、上記保持部材１６は、上記折り畳んだ余端部分１４を収納可能な開閉部を備えた袋状の部材であってもよい。例えば、上記開閉部の一方の口縁部には、一方のスライドファスナを添着し、他方の口縁部には、他方のスライドファスナを添着して開閉可能に形成することができる。上記構成を採る保持部材１６のようにスライドファスナを用いて形成することで、開閉部の開閉操作も容易であるとともに強固に閉口状態を維持することができる。
【００４２】
その他、保持部材１６は、合成樹脂製の蓋体を備えた上記折り畳んだ余端部分１４を収納可能な箱体で形成し、上記箱体は、蓋体との嵌合により開閉可能に形成して折り畳んだ余端部分１４を収納するなど１つの構成に限定しない。
【００４３】
上述の実施形態と、この発明の構成との対応において、この実施形態のコキ１３は、この発明の留め具に対応し、以下同様に、保持部材１６は、収納部（保持部材）に対応するも、この発明は、上述の実施形態の構成のみに限定されるものではなく、多くの実施の形態を得ることができる。
【図面の簡単な説明】
【００４４】
【図１】本発明の吊り下げ紐を伸張した状態を表す説明図。
【図２】ベルトを接続した状態の留め具を表す正面図（ａ）、図２（ａ）の側面図、図２（ａ）のＢ−Ｂ断面図（ｃ）。
【図３】本発明の吊り下げ紐の保持部材の正面図（ａ）、本発明の吊り下げ紐の保持部材の右側面図（ｂ）、本発明の吊り下げ紐の保持部材の背面図（ｃ）。
【図４】本発明の吊り下げ紐における余端部の収納前の保持部材の外観図（ａ）、本発明の吊り下げ紐における余端部の収納直前の保持部材の外観図（ｂ）、本発明の吊り下げ紐における余端部を収納後の保持部材の外観図（ｃ）。
【図５】本発明の吊り下げ紐の短縮状態を表す説明図。
【図６】他の例に係る本発明の吊り下げ紐の短縮状態を表す説明図。
【符号の説明】
【００４５】
１１…吊り下げ紐
１２…余端部
１３…環状部
１４…保持部材、及び収納部
１７ａ…一方の面ファスナ
１７ｂ…他方の面ファスナ
２０…ランチジャー
【図１】
2005110827.tif 000003
【図２】
2005110827.tif 000004
【図３】
2005110827.tif 000005
【図４】
2005110827.tif 000006
【図５】
2005110827.tif 000007
【図６】
2005110827.tif 000008